(57)【要約】 【課題】  ＣＰＵによる算出結果ではなくて、撮影手段から出力された情報に基づいて、撮影環境に応じて表示手段の輝度を調節することができる携帯端末装置および表示手段の輝度を調節するための照明手段の制御方法を提供することを目的とする。【解決手段】  周囲の明るさなどの撮影環境に応じて、画像の取り込み周期であるフレームレートを変化させて、画像を撮影するカメラ３を備えた携帯電話機１であり、表示部２によって、カメラ３で撮影された画像を表示し、バックライトによって、表示部２を照明して、表示部２に表示された画像を見やすくする。さらに、制御手段によって、カメラ３から出力されたフレームレートに基づいて、バックライトから発光される光の発光量を調節するようにバックライトを制御する。【選択図】      図１
2006324926.tif 000002
【特許請求の範囲】
【請求項１】
フレームレートを撮影環境に応じて変化させて画像を撮影する撮影手段と、
前記撮影手段によって撮影された画像を表示する表示手段と、
前記表示手段を照明する照明手段と、
前記表示手段の輝度を調節するように、前記フレームレートに基づいて前記照明手段を制御する制御手段とを備えることを特徴とする携帯端末装置。
【請求項２】
前記制御手段は、所定時間ごとに前記表示手段の輝度を調節することを特徴とする請求項１記載の携帯端末装置。
【請求項３】
前記制御手段は、前記表示手段の輝度の調節をフレームが切り替わる時に行うことを特徴とする請求項１または２記載の携帯端末装置。
【請求項４】
操作部を照明する操作部照明手段を備え、
前記制御手段は、前記操作部の輝度を調節するように、前記フレームレートに基づいて前記操作部照明手段を制御することを特徴とする請求項１〜３のいずれか１つに記載の携帯端末装置。
【請求項５】
撮影手段を備える携帯端末装置の照明手段の制御方法であって、
フレームレートを撮影環境に応じて変化させて、画像を撮影する撮影手段から出力されるフレームレートに基づいて、画像を表示する表示手段の輝度を調節するように、前記表示手段を照明する照明手段を制御することを特徴とする制御方法。
【請求項６】
所定時間ごとに前記表示手段の輝度を調節することを特徴とする請求項５記載の制御方法。
【請求項７】
フレームが切り替わる時に、前記表示手段の輝度を調節することを特徴とする請求項５または６記載の制御方法。
【請求項８】
前記フレームレートに基づいて、操作部の輝度を調節するように、前記操作部を照明する操作部照明手段を制御することを特徴とする請求項５〜７のいずれか１つに記載の制御方法。
【発明の詳細な説明】
【技術分野】
【０００１】
本発明は、周囲の明るさに応じて、表示手段の輝度を自動調節する携帯端末装置およびその制御方法に関する。
【背景技術】
【０００２】
携帯電話機、ＰＨＳ（Personal Handyphone System）およびＰＤＡ（Personal Digital
Assistance）などの携帯端末装置は、情報を表示するためにＬＣＤ（Liquid Crystal
Display）などの表示手段を備えており、さらに、その表示手段の視認性を向上させるために、表示手段を照明するバックライトなどの照明手段を備えている。
【０００３】
このような表示手段および照明手段を備えた携帯端末装置の中には、ＣＭＯＳ（
Complementary Metal Oxide Semiconductor）カメラおよびＣＣＤ（Charge Coupled
Devices）カメラなどの撮影手段を備えている携帯端末装置がある。撮影手段を備えた携帯端末装置は、撮影手段を動作している時には消費電流が増加するので、撮影手段を備えていない携帯端末装置に比べて、携帯端末装置の駆動時間が短くなる傾向がある。
【０００４】
そこで、撮影手段を備えた携帯端末装置の駆動時間を長くするための方法として、バックライトを適切に制御することによって駆動時間の長時間化を図る方法がある。たとえば、周囲の明るさを検出する光センサを携帯端末装置に設け、その光センサが検出した明るさによって、バックライトを制御する方法が知られている。しかしながら、この方法を用いた携帯端末装置は、光センサなどの新たな部品を設ける必要があるので、携帯端末装置が大型化してしまい、さらに、生産コストもよりかかってしまう。したがって、携帯端末装置の構成を変えることなく、表示手段の輝度を調節する携帯端末装置が望まれている。
【０００５】
典型的な従来技術としては、特許文献１に記載されている。特許文献１の移動端末は、ＣＣＤカメラの受光素子から出力された画像信号を光の強度値に変換する。そして、その光の強度値から周囲の明るさを算出して、その算出結果に基づいてバックライトを制御している。
【０００６】
【特許文献１】特開２００３−２８９３６８号公報
【発明の開示】
【発明が解決しようとする課題】
【０００７】
特許文献１の移動端末によれば、携帯端末装置の構成を変えることなく、周囲の明るさに応じたバックライトの制御を行うことができる。具体的には、周囲が明るいと、表示手段の輝度を低くし、周囲が暗いと、表示手段の輝度を高くすることができる。しかしながら、この移動端末は、ＣＰＵにおいて、ＣＣＤカメラから出力された画像信号などの情報を元に周囲の明るさを算出し、さらに、その算出結果に基づいて表示手段の輝度を設定する必要があるので、バックライトを制御するために、ＣＰＵに大きな負荷がかかるという問題がある。また、撮影手段から出力された情報に基づいてバックライトを制御することについては、全く記載されていない。
【０００８】
本発明の目的は、ＣＰＵによる算出結果ではなくて、撮影手段から出力された情報に基づいて、撮影環境に応じて表示手段の輝度を調節することができる携帯端末装置および表示手段の輝度を調節するための照明手段の制御方法を提供することである。
【課題を解決するための手段】
【０００９】
本発明は、フレームレートを撮影環境に応じて変化させて画像を撮影する撮影手段と、
前記撮影手段によって撮影された画像を表示する表示手段と、
前記表示手段を照明する照明手段と、
前記表示手段の輝度を調節するように、前記フレームレートに基づいて前記照明手段を制御する制御手段とを備えることを特徴とする携帯端末装置である。
【００１０】
また本発明は、前記制御手段は、所定時間ごとに前記表示手段の輝度を調節することを特徴とする。
【００１１】
また本発明は、前記制御手段は、前記表示手段の輝度の調節をフレームが切り替わる時に行うことを特徴とする。
【００１２】
また本発明は、操作部を照明する操作部照明手段を備え、
前記制御手段は、前記操作部の輝度を調節するように、前記フレームレートに基づいて前記操作部照明手段を制御することを特徴とする。
【００１３】
また本発明は、撮影手段を備える携帯端末装置の照明手段の制御方法であって、
フレームレートを撮影環境に応じて変化させて、画像を撮影する撮影手段から出力されるフレームレートに基づいて、画像を表示する表示手段の輝度を調節するように、前記表示手段を照明する照明手段を制御することを特徴とする制御方法である。
【００１４】
また本発明は、所定時間ごとに前記表示手段の輝度を調節することを特徴とする。
また本発明は、フレームが切り替わる時に、前記表示手段の輝度を調節することを特徴とする。
【００１５】
また本発明は、前記フレームレートに基づいて、操作部の輝度を調節するように、前記操作部を照明する操作部照明手段を制御することを特徴とする。
【発明の効果】
【００１６】
本発明によれば、周囲の明るさなどの撮影環境に応じて、画像の取り込み周期であるフレームレートを変化させて、画像を撮影する撮影手段を備えた携帯端末装置であり、表示手段によって、撮影手段で撮影された画像を表示する。また、照明手段によって、表示手段を照明することによって、表示手段に表示された画像を見やすくする。さらに、制御手段によって、撮影手段から出力されたフレームレートに基づいて、照明手段を制御する。そうすることによって、ＣＰＵによる算出結果ではなくて、撮影手段から出力された撮影環境に応じて変化するフレームレートに基づいて、照明手段から発光される光の発光量を調節することができるので、携帯端末装置の構成を変えることなく、ＣＰＵに大きな負荷をかけることなく、表示手段の輝度を撮影環境に応じた適切な輝度に調節することができる。
【００１７】
また本発明によれば、制御手段は、所定時間ごとに表示手段の輝度を調節する。そうすることによって、フレームレートが変化しても、照明手段から発光される光の発光量を所定時間変化させないので、フレームレートが頻繁に変化する場合であっても、表示手段の輝度が頻繁に変化することがなくなる。つまり、表示手段のちらつきを防止することができる。
【００１８】
また本発明によれば、制御手段は、フレームが切り替わる時に、表示手段の輝度を調節する。そうすることによって、フレームが切り替わる直前のフレームレートに基づいて、照明手段から発光される光の発光量を調節するので、撮影手段から出力されたフレームに適した発光量に調節することができ、表示手段の輝度をより適切な輝度に調節することができる。
【００１９】
また本発明によれば、操作部を照明する操作部照明手段を備えており、制御手段によって、撮影手段から出力されたフレームレートに基づいて、操作部照明手段から発光される光の発光量を調節するように照明手段を制御する。そうすることによって、ＣＰＵによる算出結果ではなくて、撮影手段から出力された撮影環境に応じて変化するフレームレートに基づいて、照明手段から発光される光の発光量を調節することができるので、携帯端末装置の構成を変えることなく、ＣＰＵに大きな負荷をかけることなく、操作部の輝度を撮影環境に応じた適切な輝度に調節することができる。
【００２０】
また本発明によれば、周囲の明るさなどの撮影環境に応じて、画像の取り込み周期であるフレームレートを変化させて、画像を撮影する撮影手段を備えた携帯端末装置の照明手段の制御方法である。この携帯端末装置は、表示手段によって、撮影手段で撮影された画像を表示し、照明手段によって、表示手段に表示された画像を見やすくするように、表示手段を照明する。照明手段は、撮影手段から出力されたフレームレートに基づいて、照明手段を制御する。そうすることによって、ＣＰＵによる算出結果ではなくて、撮影手段から出力された撮影環境に応じて変化するフレームレートに基づいて、照明手段から発光される光の発光量を調節することができるので、携帯端末装置の構成を変えることなく、ＣＰＵに大きな負荷をかけることなく、表示手段の輝度を撮影環境に応じた適切な輝度に調節することができる。
【００２１】
また本発明によれば、所定時間ごとに表示手段の輝度を調節する。そうすることによって、フレームレートが変化しても、照明手段から発光される光の発光量を所定時間変化させないので、フレームレートが頻繁に変化する場合であっても、表示手段の輝度が頻繁に変化することがなくなる。つまり、表示手段のちらつきを防止することができる。
【００２２】
また本発明によれば、フレームが切り替わる時に、表示手段の輝度を調節する。そうすることによって、フレームが切り替わる直前のフレームレートに基づいて、照明手段から発光される光の発光量を調節するので、撮影手段から出力されたフレームに適した発光量に調節することができ、表示手段の輝度をより適切な輝度に調節することができる。
【００２３】
また本発明によれば、撮影手段から出力されたフレームレートに基づいて、操作部の輝度を調節するように、操作部を照明する操作部照明手段を制御する。そうすることによって、ＣＰＵによる算出結果ではなくて、撮影手段から出力された撮影環境に応じて変化するフレームレートに基づいて、照明手段から発光される光の発光量を調節することができるので、携帯端末装置の構成を変えることなく、ＣＰＵに大きな負荷をかけることなく、操作部の輝度を撮影環境に応じた適切な輝度に調節することができる。
【発明を実施するための最良の形態】
【００２４】
以下に本発明を実施の形態によって詳細に説明する。本実施形態では、携帯端末装置の１つとしてカメラを備えた携帯電話機について説明する。本実施形態である携帯電話機は、周囲の明るさなどの撮影環境に応じて、表示手段の輝度を自動調節することによって、消費電力を低減させることができる、いわゆる省電力モードを有する携帯電話機である。
【００２５】
図１は、本発明の第１の実施形態である携帯電話機１の概略図である。図１（ａ）は、携帯電話機１の正面図であり、図１（ｂ）は、携帯電話機１の背面図である。図１に示すように、携帯電話機１は、表示部２、カメラ３および操作部４を有する折り畳み可能な携帯電話機である。
【００２６】
表示部２は、カメラ３で撮影された画像および操作部４によって入力された文字などの情報を表示する。また、表示部２は、たとえば、カラーＬＣＤで実現される。表示部２は、表示手段に相当する。
【００２７】
カメラ３は、到来した光を電気信号に変換して、画像データを生成させることによって、風景および人物などを撮影する。カメラ３は、周囲の明るさに応じて、フレーム（一画面分の画像データ）の取り込み周期であるフレームレートが変化する機能を有するＣＭＯＳカメラで実現される。このようなＣＭＯＳカメラは、到来した光を変換して得られる電子が所定量になると、一画面分の画像データを出力して、新たに画像データを生成する画像データの切り替えを行う。周囲が明るくなると、到来した光を変換して得られる電子が所定量になる時間が短くなり、画像データの切り替えが速くなるので、フレームレートが高くなる。また、周囲が暗くなると、到来した光を変換して得られる電子が所定量になる時間が長くなり、画像データの切り替えが遅くなるので、フレームレートが低くなる。また、カメラ３は、撮影手段に相当する。
【００２８】
操作部４は、使用者による操作によって所定の情報を入力する。操作部４は、数字データ、文字データおよび携帯電話機１への命令などを入力する複数のキーによって実現される。たとえば、携帯電話機１の電源をＯＮまたはＯＦＦする電源キーなどがある。また、携帯電話機１への命令を入力するキーには、カメラ３によって生成された画像データを後述のメモリへの記憶を命令するキー、つまり、携帯電話機１に撮影を命令するシャッタキーなどが含まれる。これらのキーは、透光性のある部材、たとえば、アクリル樹脂などの透明樹脂などによって形成されている。
【００２９】
携帯電話機１は、表示部２および操作部４が同一側の面に設置されており、表示部２および操作部４が設置されている面が正面である。また、カメラ３は、表示部２および操作部４が設置されている面とは反対側の面に設置されており、カメラ３が設置されている面が背面である。
【００３０】
図２は、本発明の第１の実施形態である携帯電話機１の電気的構成を示すブロック図である。図２に示すように、携帯電話機１は、表示部２、カメラ３、操作部４、ＣＰＵ１０、メモリ１１、バックライト１２、バックライト制御部１３、アンテナ１４、通信制御部１５、レシーバ１６、マイク１７および音声制御部１８を有する。
【００３１】
ＣＰＵ１０は、携帯電話機１の制御を行う。ＣＰＵ１０は、操作部４を監視し、使用者のキー操作に基づく処理を行う。ＣＰＵ１０は、操作部４からの信号により、メモリ１１からプログラムまたは各種データの送受信を行い、カメラ３の起動および表示部４へのデータの送信を行い携帯電話機１の制御を行う。また、カメラ３が起動されている場合は、ＣＰＵ１０は、カメラ３からの画像データを受信しメモリ１１に一時的に格納するとともに、表示部２へ表示データを送信する。つまり、ＣＰＵ１０は、カメラ３から出力された画像データを表示データに変換し、表示部２に表示させる。このときの表示データは、カメラ３からの画像データのみではなく、その他の携帯電話機固有の情報を含んでいる場合もある。ＣＰＵ１０は、操作部４のシャッタキーの押下などのカメラ撮影画像保存操作を検出した場合は、カメラ３が出力する画像データをメモリ１１に記憶する。
【００３２】
メモリ１１は、携帯電話機１を動作させるための動作プログラムおよびデータが格納されている。データには、カメラ３によって生成された画像データ、操作部４によって入力された数字データおよび文字データなどが含まれる。
【００３３】
バックライト１２は、表示部２を照明する表示部用バックライトおよび操作部４を照明する操作部用バックライトを有し、表示部２および操作部４を照明して、表示部２および操作部４の輝度を高める。バックライト制御部１３は、ＣＰＵ１０からの信号によりバックライト１２の点灯および消灯を行う。またバックライト制御部１３は、バックライト１２点灯時に、カメラ３から出力された垂直同期信号が受信されている場合、そのフレームレートを測定し、フレームレートに応じたバックライト１２の輝度調節を行う。カメラ３から送信された垂直同期信号は、フレームに基づいて表示部２に画像を表示させる際のタイミングを計るための信号である。垂直同期信号は、カメラ３によって撮影されている画像を表示部２に表示する際に出力され、ＣＰＵ１０に送信される。本実施形態においては、垂直同期信号は、省電力モードに設定された際にも出力され、バックライト制御部１３に送信される。フレームレートの測定は、受信された垂直同期信号に基づいて測定する。バックライト制御部１３は、表示部２の輝度が所定の輝度になるように、バックライト１２に駆動電流を供給して発光させる。バックライト制御部１３は、制御手段に相当する。
【００３４】
アンテナ１４は、電話通信のための音声信号を含む電波を、基地局との間で送受信する。通信制御部１５は、基地局から送信され、アンテナ１４を介して受信した音声信号を復調して、その復調された音声信号をＣＰＵ１０に出力する。また、通信制御部１５は、ＣＰＵ１０から出力された音声信号を変調して増幅し、アンテナ１４を介して、基地局に送信させる。
【００３５】
音声制御部１８は、通信制御部１５が復調した音声信号を変調して、レシーバ１６を介して音声を出力する。また、音声制御部１８は、マイク１７を介して入力された音声を復調して、その復調された音声信号をＣＰＵ１０に出力する。
【００３６】
携帯電話機１は、音声信号を含む電波にアンテナ１４で受信し、その音声信号に基づいてレシーバ１６から音声を出力し、マイク１７から入力された音声に基づいてアンテナ１４から音声信号を含む電波を送信するので、操作者は通話を行うことができる。
【００３７】
図３は、本発明の第１の実施形態である携帯電話機１のバックライト１２の制御を示すフローチャートである。使用者が操作部４を押下する操作などによって、ステップＡ１の処理が行われる。
【００３８】
ステップＡ１では、ＣＰＵ１０は、操作部４からの命令およびメモリ１１に格納されているプログラムなどに基づいて、バックライト１２を点灯するか否かを判断する。バックライト１２を点灯すると判断されれば、ステップＡ２に進み、バックライト１２を点灯しないと判断されれば、ステップＡ３に進む。
【００３９】
ステップＡ２では、ＣＰＵ１０は、バックライト点灯命令をバックライト制御部１３に送信し、その点灯命令を受信したバックライト制御部１３は、バックライト１２を点灯させて、ステップＡ４に進む。ここでのバックライト１２は、メモリ１１に格納されているデフォルト値に基づいて発光する。デフォルト値は、周囲の明るさに関わらず、表示部２に表示された文字などを見やすくするために、表示部２の輝度が高くなるように設定されている。また、ステップＡ３では、ＣＰＵ１０は、バックライト制御部１３へバックライト消灯命令を送信し、その消灯命令を受信したバックライト制御部１３は、バックライト１２を消灯させて、バックライト１２の制御を終了する。
【００４０】
ステップＡ４では、バックライト制御部１３は、カメラ３から出力された垂直同期信号を受信しているか否かを判断する。垂直同期信号が受信されていると判断されれば、ステップＡ５に進み、受信されていないと判断されれば、ステップＡ１に戻る。ステップＡ５では、バックライト制御部１３は、カメラ３から出力されたフレームレートを測定して、ステップＡ６に進む。
【００４１】
ステップＡ６では、バックライト制御部１３は、測定されたフレームレートが、前回測定されたフレームレートと比較して所定値以上変化されたか否かを判断し、変化されていないと判断されれば、ステップＡ５に戻り、変化したと判断されれば、ステップＡ７に進む。また、フレームレートを測定しはじめたときなどの前回測定したフレームレートが存在しない場合、デフォルト値と比較する。ステップＡ７では、フレームレートの変化が、高くなる変化であると判断されれば、ステップＡ８に進み、フレームレートの変化が、低くなる変化であると判断されれば、ステップＡ９に進む。
【００４２】
ステップＡ８では、バックライト１２の発光量を増やし、表示部２および操作部４の輝度を高めて、ステップＡ４に戻る。また、バックライト１２の発光量は、所定の発光量より多くならないように設定している。バックライト１２の発光量を増加させると、所定の発光量より多くなる場合は、バックライト１２の発光量を所定の発光量にして、ステップＡ４に戻る。ステップＡ９では、バックライト１２の発光量を減らし、表示部２および操作部４の輝度を低めて、ステップＡ４に戻る。
【００４３】
以上のように、携帯電話機１は、周囲の明るさに応じて、フレームレートを変化させて画像を撮影するカメラ３を備えた携帯電話機であって、カメラ３から出力されたフレームレートに基づいて、バックライト１２を制御する。したがって、携帯電話機１は、ＣＰＵ１０による算出結果ではなくて、カメラ３から出力された撮影環境に応じて変化するフレームレートに基づいて、バックライト１２から発光される光の発光量を調節することができるので、携帯電話機の構成を変えることなく、さらに、ＣＰＵ１０に大きな負荷をかけることなく、表示部２および操作部４の輝度を撮影環境に応じた適切な輝度に調節することができる。
【００４４】
また、ステップＡ６におけるフレームレート変化の判断を、所定時間ごとに行うようにしてもよい。たとえば、所定時間のフレームレートの平均値を算出し、その算出された平均値を用いて判断するようにしてもよい。そうすることによって、フレームレートが変化しても、バックライト１２から発光される光の発光量を所定時間変化させないので、フレームレートが頻繁に変化する場合であっても、表示部２および操作部４の輝度が頻繁にすることがなくなる。つまり、表示部２および操作部４のちらつきを防止することができる。フレームが切り替わる時に、バックライト１２の発光量を変化させて、表示部２および操作部４の輝度を調節するようにしてもよい。そうすることによって、フレームが切り替わる直前のフレームレートに基づいて、バックライト１２から発光される光の発光量を調節するので、カメラ３から出力されたフレームに適した発光量に調節することができ、表示部２および操作部４の輝度をより適切な輝度に調節することができる。
【００４５】
また、携帯電話機１は、測定されたフレームレートが前回測定されたフレームレートより高くなった（周囲が明るくなった）と判断された場合に、表示部２および操作部４の輝度を高め、測定されたフレームレートが前回測定されたフレームレートより低くなった（周囲が暗くなった）と判断された場合に、表示部２および操作部４の輝度を低めるように設定されている。しかし、表示部２および操作部４の種類によっては、周囲が明るくなったと判断された場合に、表示部２および操作部４の輝度を低め、周囲が暗くなったと判断された場合に、表示部２および操作部４の輝度を高めるように設定してもよい。
【００４６】
本発明は、カメラ３からのフレームレートに基づいて表示部２および操作部４の輝度を調節するようにバックライト１２を制御すればよく、携帯電話機１のように、測定したフレームレートと前回測定したフレームレートとを比較して、バックライト１２を制御するのではなく、メモリ１１にあらかじめ設定されているバックライト発光量テーブルによって、測定されたフレームレートに対応したバックライト１２の発光量となるように、バックライト１２を制御するようにしてもよい。以下、バックライト発光量テーブルを用いてバックライト１２を制御する第２の実施形態である携帯電話機５について説明する。携帯電話機５の構成は、メモリ１１に、バックライト発光量テーブルが格納されていること以外、携帯電話機１と同様である。
【００４７】
バックライト発光量テーブルは、表示部２および操作部４の輝度が、複数のフレームレートに対応した適切な輝度となるようなバックライト１２の発光量が設定されている。バックライト発光量テーブルの一例としては、たとえば、以下のように設定する。フレームレートが５フレーム／秒未満の場合は、発光量が最大値に設定し、フレームレートが５フレーム／秒以上１０フレーム／秒未満の場合は、発光量がデフォルト値に設定し、フレームレートが１０フレーム／秒以上の場合は、発光量が最小値に設定する。バックライト発光量テーブルは、発光量を３段階に分けて設定したが、このような場合に限らず、何段階に分けて設定してもよい。
【００４８】
図４は、本発明の第２の実施形態である携帯電話機５のバックライト１２の制御を示すフローチャートである。使用者が操作部４を押下する操作などによって、ステップＢ１の処理が行われる。
【００４９】
ステップＢ１では、ＣＰＵ１０は、操作部４からの命令およびメモリ１１に格納されているプログラムなどに基づいて、バックライト１２を点灯するか否かを判断する。バックライト１２を点灯すると判断されれば、ステップＢ２に進み、バックライト１２を点灯しないと判断されれば、ステップＢ３に進む。
【００５０】
ステップＢ２では、ＣＰＵ１０は、バックライト点灯命令をバックライト制御部１３に送信し、その点灯命令を受信したバックライト制御部１３は、バックライト１２を点灯させて、ステップＢ４に進む。ここでのバックライト１２は、メモリ１１に格納されているデフォルト値に基づいて発光する。デフォルト値は、周囲の明るさに関わらず、表示部２に表示された文字などが見やすいように、表示部２の輝度が高くなるように設定されている。また、ステップＢ３では、ＣＰＵ１０は、バックライト制御部１３へバックライト消灯命令を送信し、その消灯命令を受信したバックライト制御部１３は、バックライト１２を消灯させて、バックライト１２の制御を終了する。
【００５１】
ステップＢ４では、バックライト制御部１３は、カメラ３から出力された垂直同期信号を受信しているか否かを判断する。垂直同期信号が受信されていると判断されれば、ステップＢ５に進み、受信されていないと判断されれば、ステップＢ１に戻る。ステップＢ５では、バックライト制御部１３は、カメラ３から出力されたフレームレートを測定し、ステップＢ６に進む。
【００５２】
ステップＢ６では、バックライト制御部１３は、測定されたフレームレートに対応するバックライト１２の発光量を、バックライト発光量テーブルに基づいて設定し、ステップＢ７に進む。ステップＢ７では、バックライト制御部１３は、バックライト１２を設定された発光量となるように点灯させて、ステップＢ８に進む。ステップＢ８では、バックライト制御部１３は、測定されたフレームレートが、前回測定されたフレームレートと比較して所定値以上変化されたか否かを判断し、変化されていないと判断されれば、ステップＢ８に戻り、変化したと判断されれば、ステップＢ５に戻る。
【００５３】
以上のように、携帯電話機５は、周囲の明るさに応じて、フレームレートを変化させて画像を撮影するカメラ３を備えた携帯電話機であって、カメラ３から出力されたフレームレートに基づいて、バックライト１２を制御する。バックライト１２の制御は、カメラ３から出力されるフレームレートに対応した発光量を、メモリ１１に格納されているバックライト発光量テーブルを用いて設定することによって行う。したがって、携帯電話機５は、ＣＰＵ１０による算出結果ではなくて、カメラ３から出力された撮影環境に応じて変化するフレームレートに基づいて、バックライト１２から発光される光の発光量を調節することができるので、携帯電話機の構成を変えることなく、さらに、ＣＰＵ１０に大きな負荷をかけることなく、表示部２および操作部４の輝度を撮影環境に応じた適切な輝度に調節することができる。
【００５４】
また、ステップＢ８におけるフレームレート変化の判断を、所定時間ごとに行うようにしてもよい。たとえば、所定時間のフレームレートの平均値を算出し、その算出された平均値を用いて判断するようにしてもよい。そうすることによって、フレームレートが変化しても、バックライト１２から発光される光の発光量を所定時間変化させないので、フレームレートが頻繁に変化する場合であっても、表示部２および操作部４の輝度が頻繁にすることがなくなる。つまり、表示部２および操作部４のちらつきを防止することができる。フレームが切り替わる時に、バックライト１２の発光量を変化させて、表示部２および操作部４の輝度を調節するようにしてもよい。そうすることによって、フレームが切り替わる直前のフレームレートに基づいて、バックライト１２から発光される光の発光量を調節するので、カメラ３から出力されたフレームに適した発光量に調節することができ、表示部２および操作部４の輝度をより適切な輝度に調節することができる。
【００５５】
上記実施形態は、バックライト１２として、表示部用バックライトおよび操作部用バックライトを有し、バックライト１２の制御として、表示部用バックライトおよび操作部用バックライトの両方を同時に、フレームレートに基づく制御を行い、表示部２および操作部４の輝度を調節する携帯電話機を例に挙げて説明した。本発明は、表示部用バックライトのみをフレームレートに基づく制御を行い、表示部２の輝度のみを調節するようにしてもよいし、操作部用バックライトのみをフレームレートに基づく制御を行い、操作部４の輝度のみを調節するようにしてもよい。
【００５６】
さらに、上記実施形態は携帯電話機を例に挙げて説明したが、本発明は、フレームレートを撮影環境に応じて変化させて画像を撮影するカメラを備えた携帯端末装置であれば、たとえばカメラ付きＰＤＡなどでもよい。
【図面の簡単な説明】
【００５７】
【図１】本発明の第１の実施形態である携帯電話機１の概略図である。
【図２】本発明の第１の実施形態である携帯電話機１の電気的構成を示すブロック図である。
【図３】本発明の第１の実施形態である携帯電話機１のバックライト１２の制御を示すフローチャートである。
【図４】本発明の第２の実施形態である携帯電話機５のバックライト１２の制御を示すフローチャートである。
【符号の説明】
【００５８】
１，５  携帯電話機
２  表示部
３  カメラ
４  操作部
１０  ＣＰＵ
１１  メモリ
１２  バックライト
１３  バックライト制御部
１４  アンテナ
１５  通信制御部
１６  レシーバ
１７  マイク
１８  音声制御部
【図１】
2006324926.tif 000003
【図２】
2006324926.tif 000004
【図３】
2006324926.tif 000005
【図４】
2006324926.tif 000006